(57)【要約】【課題】装飾物が好適に揺動するとともに、装飾物が外れ難い装飾具の提供。【解決手段】互いに対向する一対の装飾物取付部３を備え、装飾物取付部３に、その対向面を結ぶ直線を回動中心として回動可能に、宝石等の装飾物４が設置された装飾物用台座５を連結させてなる装飾具において、装飾物用台座５は、略Ｖ字状に形成された複数の装飾物挟持部８，８……を、互いに隣り合う装飾物挟持部８，８のＶ字状の一方側上端同士を連続させて、全体を環状とするとともに、下側先細りの裁頭円錐形状とした形状に形成され、装飾物挟持部８，８……の裁頭円錐形状内面側は、装飾物４の下面に当接される下面当接部１２となっており、装飾物挟持部８，８……の上側には、装飾物４を挟み込むように把持する爪部１１が形成され、爪部１１と下面当接部１２により、装飾物４を上下方向に挟むようにして装飾物４を保持した。【選択図】図１
2009268573.tif 000002
【特許請求の範囲】
【請求項１】
互いに対向する一対の装飾物取付部を備え、該装飾物取付部に、その対向面を結ぶ直線を回動中心として回動可能に、宝石等の装飾物が設置された装飾物用台座を連結させてなる装飾具において、
前記装飾物用台座は、略Ｖ字状に形成された複数の装飾物挟持部を、互いに隣り合う前記装飾物挟持部のＶ字状の一方側上端同士を連続させて、全体を環状とするとともに、下側先細りの裁頭円錐形状とした形状に形成され、
前記装飾物挟持部の前記裁頭円錐形状内面側には、前記装飾物の下面に当接される下面当接部を有し、
前記装飾物挟持部の上側には、前記装飾物を挟み込むように把持する爪部が形成され、
該爪部と前記下面当接部により、前記装飾物を上下方向に挟むようにして該装飾物を保持していることを特徴とする装飾具。
【請求項２】
前記略Ｖ字状の装飾物挟持部の股状となっている部分の内側が前記下面当接部となっている請求項１に記載の装飾具。
【請求項３】
前記装飾物の下部は下側を頂点とする錐体状に形成され、該錐体状の頂点が、前記裁頭円錐形状の装飾物用台座から下方に突出するように形成されている請求項１又は２の何れか１項に記載の装飾具。
【発明の詳細な説明】
【技術分野】
【０００１】
本発明は、主として宝石などの装飾物が揺動可能に取り付けられている装飾具に関する。
【背景技術】
【０００２】
従来、上記のような装飾具として、図７〜図８に示す重力バランス指輪がある。
【０００３】
この重力バランス指輪３１は、指輪本体３２に一対の対向する装飾物取付部３３，３３を有し、この装飾物取付部３３，３３間に、装飾物用台座３５が揺動可能に設置されている。装飾物取付部３３，３３には、それぞれネジ３４，３４が設置されており、このネジ３４，３４によって、装飾物用台座３５を挟むようにして固定している。この装飾物用台座３５には宝石３６が設置されており、宝石３６を装飾物用台座３５ごと取り替えることができるようになっている。
【０００４】
また、装飾物用台座３５の両端には、先端が尖った小突起３７，３７が突設されており、この小突起３７，３７の先端がネジ３４，３４の先端に圧接され、この小突起３７，３７を介して、装飾物用台座３５がネジ３４，３４に挟まれている。
【０００５】
この重力バランス指輪３１は、装飾物用台座３５と装飾物取付部の接点が小突起３７，３７の先端のみであり、装飾物用台座３５が小突起３７，３７間を軸として回動するようになっている。
【特許文献１】特開２００２−１４２８１７号公報
【発明の開示】
【発明が解決しようとする課題】
【０００６】
しかし、このような構造の指輪は、宝石を取り替えることができるという点においては便利なものであるが、宝石を揺動し易くさせようとすると、装飾物用台座を挟むネジを緩める必要があり、そうすると装飾物用台座が指輪から外れやすくなり、宝石を紛失してしまう恐れが増大するものであった。従って宝石の揺動効果は、余り期待できないものであった。
【０００７】
そこで、本発明は、このような従来の問題に鑑み、装飾物が好適に揺動するとともに、装飾物が外れ難い装飾具を提供することを目的とする。
【課題を解決するための手段】
【０００８】
上述の如き従来の問題を解決し、所期の目的を達成するための請求項１に記載の発明の特徴は、互いに対向する一対の装飾物取付部を備え、該装飾物取付部に、その対向面を結ぶ直線を回動中心として回動可能に、宝石等の装飾物が設置された装飾物用台座を連結させてなる装飾具において、前記装飾物用台座は、略Ｖ字状に形成された複数の装飾物挟持部を、互いに隣り合う前記装飾物挟持部のＶ字状の一方側上端同士を連続させて、全体を環状とするとともに、下側先細りの裁頭円錐形状とした形状に形成され、前記装飾物挟持部の前記裁頭円錐形状内面側は、前記装飾物の下面に当接される下面当接部となっており、前記装飾物挟持部の上側には、前記装飾物を挟み込むように把持する爪部が形成され、該爪部と前記下面当接部により、前記装飾物を上下方向に挟むようにして該装飾物を保持したことにある。
【０００９】
請求項２に記載の発明の特徴は、請求項１に記載の構成に加え、前記略Ｖ字状の装飾物挟持部の股状となっている部分の内側が前記下面当接部となっていることにある。
【００１０】
請求項３に記載の発明の特徴は、請求項１又は２の何れか１項に記載の構成に加え、前記装飾物の下部は下側を頂点とする錐体状に形成され、該錐体状の頂点が、前記裁頭円錐形状の装飾物用台座から下方に突出するように形成されていることにある。
【発明の効果】
【００１１】
本発明に係る装飾具は、互いに対向する一対の装飾物取付部を備え、装飾物取付部に、その対向面を結ぶ直線を回動中心として回動可能に、宝石等の装飾物が設置された装飾物用台座を連結させてなる装飾具において、装飾物用台座は、略Ｖ字状に形成された複数の装飾物挟持部を、互いに隣り合う装飾物挟持部のＶ字状の一方側上端同士を連続させて、全体を環状とするとともに、下側先細りの裁頭円錐形状とした形状に形成され、装飾物挟持部の裁頭円錐形状内面側は、装飾物の下面に当接される下面当接部となっており、装飾物挟持部の上側には、装飾物を挟み込むように把持する爪部が形成され、爪部と下面当接部により、装飾物を上下方向に挟むようにして装飾物を保持していることにより、装飾物用台座の装飾物取付部との連結部分が引っ張られたとしても、爪部と下面当接部が近づく方向に力が働き、装飾物が容易に外れないようにすることができる。
【００１２】
更に、略Ｖ字状の装飾物挟持部の股状となっている部分の内側が下面当接部となっているため、爪部と下面当接部によって装飾物をより好適に挟持することができる。また、装飾物用台座の装飾物取付部との連結部分が引っ張られた際にも、好適に装飾物を挟持することができる。
【００１３】
更に、装飾物の下部は下側を頂点とする錐体状に形成され、錐体状の頂点が、裁頭円錐形状の装飾物用台座から下方に突出するように形成されているので、装飾物の底部中心付近から装飾物内に、光を取り入れることができ、装飾物を好適に輝かせることができる。
【発明を実施するための最良の形態】
【００１４】
次に本発明の実施の形態を図１〜図６に示した実施例に基づいて説明する。
【００１５】
図１は、本発明における装飾具の一例である指輪を示している。この装飾具１は、装飾具本体２であるリングの上部に、互いに対向する一対の装飾物取付部３，３を備えている。そして、この装飾物取付部３，３間に、装飾物４が、装飾物取付部３，３間の対向面を結ぶ直線を回動中心として回動可能に支持された装飾物用台座５に取り付けられて、揺動可能に設置されている。
【００１６】
装飾物用台座５は、図１及び図３（ａ）〜（ｄ）に示すように、装飾物４を保持する台座本体６と、この台座本体６と装飾物取付部３，３とを連結する台座側連結部７，７を有している。台座本体６は、略Ｖ字状に形成された複数の装飾物挟持部８，８……を、互いに隣り合う装飾物挟持部８，８……のＶ字状の一方側上端同士を連続させて、全体を環状とするとともに、下側先細りの裁頭円錐形状とした形状に形成されている。
【００１７】
また、この装飾物挟持部８，８……の上部には、装飾物４を把持する爪部１１，１１……を有している。この爪部１１，１１……は、隣り合う装飾物挟持部８，８……同士が一体に交わっている部分に形成されている。また、装飾物挟持部８，８……の裁頭円錐形状内面側には、装飾物４の下面に当接される下面当接部１２を有している。そして、この下面当接部１２と爪部１１，１１……により、装飾物４を上下方向に挟むようにして保持している。また、図３（ｄ）に示すように、略Ｖ字状の装飾物挟持部８，８……の股状となっている部分の内側が下面当接部１２となっている。
【００１８】
そして、このような装飾物挟持部８，８……からなる装飾物用台座５は、その左右の台座側連結部７，７を引っ張る方向に力が加わった際に、Ｖ字状の装飾物挟持部８，８……の下面当接部が持ち上がる方向に力が加わり、爪部１１，１１……と下面当接部１２，１２……による把持力が高まるようになっている。
【００１９】
装飾物４は、上部１３が略円錐台状に形成され、下部１４は、下方が先細り状の略円錐形状に形成されている。そして、この上部１３と下部１４の境目部分を、台座本体６の爪部１１，１１……が把持するようになっており、この装飾物４の下部１４は、台座本体６によって抱持されている。
【００２０】
爪部１１，１１……は、装飾物４の上部１３と下部１４の境目部分が構成する円周上に略等間隔に複数形成されている。また、この各爪部１１，１１……はそれぞれ対をなし、各対となっている爪部１１，１１は、図３（ｃ）に示すように、装飾物４の上部と下部の境目部分が構成する円の中心を通り且つこの円と交わる直線の、その円との交点に、互いに対向するように配置されている。
【００２１】
この互いに隣り合う爪部１１，１１の間を結ぶＶ字状の装飾物挟持部８，８……は、装飾物４の下部１４を支持するように形成されている。また、この各装飾物挟持部８，８……の下側先端は、図３（ｃ）に示すように、略同一円周上に位置するようになっており、この円周内から下方に向かって装飾物４の下部先端が突出するようになっている。このように、装飾物４の下部先端を、台座本体６によって覆わないようにしているので、この装飾物４下部先端から装飾物４内に光が入り、装飾物４を好適に輝かせることができる。
【００２２】
また、台座本体６の左右両端には、台座側連結部７，７が形成されている。この台座本体６の左右両端は、装飾物挟持部８，８……の上端、即ち装飾挟持部８，８同士が交わる部分となっており、爪部１１，１１が一体に形成されている。そして、この台座本体６の左右両端は、外側に突出するように形成されており、その外下側に、台座側連結部７，７が形成されている。この台座側連結部７，７は、縦向き環状に形成されており、装飾物取付部３，３の本体側連結部１５，１５と鎖状に連結されるようになっている。
【００２３】
本体側連結部１５は、図２に示すように、台座側連結部７に挿入される棒状部１５ａと、この棒状部１５ａを支持する一対の脚部１５ｂ，１５ｂを備えている。この一対の脚部１５ｂ，１５ｂは、装飾物取付部３，３の下側から、互いに平行に上方に向かって突出するように形成されている。そして、この一対の脚部１５ｂ，１５ｂの上部間に亘って棒状部１５ａが形成されている。また、脚部１５ｂ，１５ｂの上端は、棒状部１５ａよりも上に突出しており、本体側連結部１５全体が略Ｈ字形に形成されて、台座側連結部７が棒状部１５ａから外れないようになっている。
【００２４】
また、装飾物取付部３，３には、その上部から、装飾物４側に突出し、本体側連結部１５，１５の上方を覆うように形成された覆い部１６が備えられている。そして、この覆い部１６によって、上方から本体側連結部１５，１５が見えないようになっているとともに、装飾物用台座５と装飾具本体２の連結部部分を保護している。
【００２５】
上述の実施例においては、爪部１１，１１……が６個の場合を示しているが、爪部１１，１１……の数は４個以上あればよい。即ち、装飾物挟持部８，８……が４個以上あればよい。また、爪部１１，１１……の数は、偶数個であるとよい。図４と図５に爪部１１，１１……が８つの場合と４つの場合の例を示す。
【００２６】
また、図３及び図４に示した例では、装飾物４の錐体状下部の頂点が、裁頭円錐形状の装飾物用台座５から下方に突出するように形成されているが、図５に示した例のように、装飾物用台座５から下方に装飾物４が突出していなくてもよく、隣り合う装飾物挟持部８，８間から装飾物４内に光が入るようになっていればよい。
【００２７】
上述の実施例では、装飾物４が１個であるが、装飾物４を複数設置してもよい。装飾物４を３個取り付けた例を図６に示す。この場合、真ん中の装飾物用台座５を爪部１１，１１……が４個のものを使用し、左右両側の装飾物用台座５を爪部１１，１１……が６個のものを使用することにより、隣り合う装飾物用台座５の爪部１１，１１……同士が引っ掛からないようにするとよい。また、装飾物用台座５の重心を調節して、両脇の装飾物４が外向きに傾くようにすることにより、隣り合う装飾物用台座５の爪部１１，１１……同士が、より引っ掛からないようにするとよい。
【図面の簡単な説明】
【００２８】
【図１】本発明に係る装飾具の一例を示す正面図である。
【図２】同上の台座側連結部と本体側連結部の連結構造を示す断面図である。
【図３】（ａ）は、同上の装飾物と装飾物用台座を示す正面図、（ｂ）は同側面図、（ｃ）は同底面図、（ｄ）は（ｃ）におけるＡ−Ａ線断面図である。
【図４】（ａ）同上の装飾物用台座の爪部が８個の場合を示す正面図、（ｂ）は同側面図、（ｃ）は同底面図である。
【図５】（ａ）同上の装飾物用台座の爪部が４個の場合を示す正面図、（ｂ）は同側面図、（ｃ）は同底面図である。
【図６】同上の装飾物を３個使用した場合を示す平面図である。
【図７】従来の重力バランス指輪を示す斜視図である。
【図８】同上の部分断面図である。
【符号の説明】
【００２９】
１  装飾具
２  装飾具本体
３  装飾物取付部
４  装飾物
５  装飾物用台座
６  台座本体
７  台座側連結部
８  装飾物挟持部
１１  爪部
１２  下面当接部
１３  上部
１４  下部
１５  本体側連結部
１５ａ  棒状部
１５ｂ  脚部
１６  覆い部
３１  重力バランス指輪
３２  指輪本体
３３  装飾物取付部
３４  ネジ
３５  装飾物用台座
３６  宝石
３７  小突起
【図１】
2009268573.tif 000003
【図２】
2009268573.tif 000004
【図３】
2009268573.tif 000005
【図４】
2009268573.tif 000006
【図５】
2009268573.tif 000007
【図６】
2009268573.tif 000008
【図７】
2009268573.tif 000009
【図８】
2009268573.tif 000010